(57)【特許請求の範囲】
【請求項１】
遊技島の互いに隣接する二台の遊技機の間に設けられた遊技媒体貸出機から背面側に排出される紙幣を収納するための遊技島の紙幣収納装置であって、
前記遊技媒体貸出機の背面部及び遊技媒体貸出機と一方の遊技機との間に設けられた空間部にわたって設けられ、上記遊技媒体貸出機から遊技媒体貸出機の背面側へ起立状態で排出される投入紙幣を上記空間部内へ起立状態のままＵターンさせて前面方向へと搬送する搬送装置と、
上記空間部内に設けられ、上記搬送装置によって搬送された紙幣を起立状態のまま厚さ方向に積重ねて押圧した状態で保持する積重ね保持装置と、を備えており、
上記搬送装置及び積重ね保持装置が、取付フレームに対して一体的に取り付けられていて、
この取付フレームが、固定フレームに対して前面方向に着脱可能に支持されていることを特徴とする遊技島の紙幣収納装置。
【請求項２】
上記取付フレームの積重ね保持装置に対応する前側部分が、開閉可能に支持されたカバーにより構成されており、上記カバーが開放されたとき、このカバーの開放動作に連動して、積重ね保持装置が、取付フレームから前側に所定距離だけ移動することを特徴とする、請求項１に記載の遊技島の紙幣収納装置。
【発明の詳細な説明】
【０００１】
【発明の属する技術分野】
本発明は、例えばスロットマシン，パチンコ等の複数台の遊技機を一群に設置した遊技島において、遊技媒体貸出機に投入された紙幣を収納するための遊技島の紙幣収納装置に関するものである。
【０００２】
【従来の技術】
この種の遊技店においては、横方向に複数台の遊技機、例えばスロットマシンを直線状に設置することにより、いわゆる遊技島を構成している。
このような遊技島は、例えば図９及び図１０に示すように構成されている。
図９及び図１０において、遊技島１には、遊技島１を構築する上枠板２，下枠板３によって固定された複数台の遊技機（例えばスロットマシン）４，４，・・・が、それぞれ両側を垂直板５ａ，５ｂに囲まれるようにして、直線状に配列されている。
【０００３】
そして、互いに隣接する二台の遊技機４，４の間毎に、縦長薄型の遊技媒体貸出機（例えばスロットマシン用メダル貸出機）６が、一方（図示の場合、右側）の垂直板５ａに接するように、且つ取り外し可能に設けられている。
【０００４】
遊技媒体貸出機６は、前面板６ａに紙幣Ｍを起立状態で長手方向に投入するための上下方向に延びる紙幣投入口７を備えていて、この紙幣投入口７から投入された紙幣Ｍを判定し、真正紙幣の場合には遊技媒体（スロットマシン用メダル）を貸し出し、紙幣Ｍを起立状態のまま背面の排出口８から背面側に排出する。
【０００５】
この遊技媒体貸出機６と一方（図示の場合、左側）の遊技機４との間には、互いに隣接する遊技機４，４の利用客に窮屈な思いをさせないように遊技媒体貸出機６と同程度の幅の空間部Ａが設けてあり、その前面を化粧板９で塞いでいる。
【０００６】
さらに、各遊技媒体貸出機６に投入された紙幣Ｍは、従来では、遊技機４の背面に水平方向に設けられた紙幣搬送装置（図示せず）によって、遊技島１の端部または中央部等に設けられた収納庫に搬送され、収納されるようになっている。
【０００７】
【発明が解決しようとする課題】
しかしながら、このような遊技島１内の全部の遊技媒体貸出機６からの紙幣Ｍを一つの紙幣搬送装置により搬送する搬送システムでは、紙幣搬送システムが大がかりな装置となって、コストが高くなると共に、紙幣搬送装置内で紙幣詰まり等のトラブルが発生すると、このトラブルを解決するまでの間、遊技島１の全部の遊技媒体貸出機６が使用できなくなってしまうという問題があった。
【０００８】
ここで、遊技機として、パチンコ遊技機の場合には、前面側にパチンコ台を開放することができるため、パチンコ台背面側の紙幣搬送装置をパチンコ台を開放して点検することができるが、例えばスロットマシン等の遊技機４においては、前面側に台を開放することができないボックス構造であることから、背面側に設けた紙幣搬送装置に紙幣詰まり等のトラブルが発生したとしても、紙幣搬送装置の点検をすることができないという問題があった。
【０００９】
本発明は、以上の点に鑑み、遊技島全体の紙幣を搬送する紙幣搬送装置を省略するようにした、遊技島の紙幣収納装置を提供することを目的としている。
【００１０】
【課題を解決するための手段】
上記目的は、本発明によれば、遊技島の互いに隣接する二台の遊技機の間に設けられた遊技媒体貸出機から背面側に排出される紙幣を収納するための遊技島の紙幣収納装置であって、上記遊技媒体貸出機の背面部及び遊技媒体貸出機と一方の遊技機との間に設けられた空間部にわたって設けられ、上記遊技媒体貸出機から遊技媒体貸出機の背面側へ起立状態で排出される投入紙幣を上記空間部内へ起立状態のままＵターンさせて前面方向へと搬送する搬送装置と、上記空間部内に設けられ、上記搬送装置によって搬送された紙幣を起立状態のまま厚さ方向に積重ねて押圧した状態で保持する積重ね保持装置と、を備えており、上記搬送装置及び積重ね保持装置が、取付フレームに対して一体的に取り付けられていて、この取付フレームが、固定フレームに対して前面方向に着脱可能に支持されていることを特徴とする、遊技島の紙幣収納装置により、達成される。
【００１１】
本発明による遊技島の紙幣収納装置は、好ましくは、上記取付フレームの積重ね保持装置に対応する前側部分が、開閉可能に支持されたカバーにより構成されていおり、上記カバーが開放されたとき、このカバーの開放動作に連動して、積重ね保持装置が、取付フレームから前側に所定距離だけ移動する。
【００１２】
上記構成によれば、遊技島にて互いに隣接する二台の遊技機の間に配設された紙幣を起立状態で受け入れ、起立状態のままで排出する縦長薄型の遊技媒体貸出機と、一方（例えば左側）の遊技機との間に、遊技媒体貸出機と同程度の幅の空間部を設けて、前面を化粧板で塞ぐことにより、互いに隣接する二台の遊技機間の配置間隔にゆとりを持たせてあるが、この空間部を利用して、遊技媒体貸出機の背面から起立状態で排出される紙幣を、搬送装置により上記空間部の前面方向に起立状態のままＵターンさせて、この空間部内で積重ね保持装置により紙幣を積重ねて押圧した状態で保持することによって、全体の遊技媒体貸出機からの紙幣を一括して搬送蓄積する代わりに、個々の遊技媒体貸出機毎に設けられた空間部内に搬送して蓄積するようにしている。
【００１３】
これにより、従来のような遊技島全体の紙幣を搬送する大がかりな紙幣搬送システムを省略することができるので、コストを低減することができると共に、スロットマシン等のような前方に開放することができないボックス構造の遊技機を設置した遊技島であっても、全体の紙幣を搬送するシステムを用いないため、遊技機の背面側を点検する必要がないので何らの支障も生じない。
また、遊技島の個々の遊技媒体貸出機毎に紙幣を収納するので、従来のような遊技島全体の遊技媒体貸出機が使用できなくなるようなこともない。
【００１４】
さらに、搬送装置及び積重ね保持装置が取付フレームに対して一体的に取り付けられると共に、この取付フレームが固定フレームに対して前面方向に着脱可能に支持されているので、搬送装置内での紙幣詰まり等のトラブル発生時には、取付フレームを前面側に取外すことにより、容易に搬送装置の点検を行なうことができ、当該遊技媒体貸出機の使用不能が短時間で解消することになる。
【００１５】
上記取付フレームが、背面側にて固定フレームに対して係止される係止部を備えている場合には、この係止部が固定フレームに対して係止されることによって、取付フレームそして搬送装置及び積重ね保持装置が、確実に取付位置に固定保持されることになる。
【００１６】
上記取付フレームが、前面に引出し用鍵を備えており、この引出し用鍵を操作することにより、上記係止部が固定フレームから解放される場合には、紙幣詰まり等のトラブル発生時には、引出し用鍵を操作することにより、係止部の固定フレームに対する係止が解除されるので、取付フレームそして搬送装置及び積重ね保持装置を容易に前面に向かって移動させ、取り外すことができる。
【００１７】
上記取付フレームの積重ね保持装置に対応する前側部分が、開閉可能に支持されたカバーにより構成されている場合には、このカバーを開放することにより、内側に位置する積重ね保持装置に押圧した状態で保持される紙幣を容易に取り出すことができる。
【００１８】
上記カバーが開放されたとき、このカバーの開放動作に連動して、積重ね保持装置が、取付フレームから前側に所定距離だけ移動する場合には、カバーを開放したとき、カバーに開放動作に連動して、積重ね保持装置が前側に所定距離だけ移動することにより、積重ね保持装置により保持された紙幣の前端縁が、取付フレームの前端から突出することになるので、積重ね保持装置に保持される紙幣をより一層容易に取り出すことができる。
【００１９】
【発明の実施の形態】
以下、図面に示した実施形態に基づいて、本発明を詳細に説明する。
図１乃至図８は、本発明による遊技島１の紙幣収納装置１０の一実施形態を示している。
図１及び図２において、紙幣収納装置１０は、前述した遊技媒体貸出機６と組み合わされた状態にて、前述した空間部Ａに収容されるように（図９参照）、縦長細型形状のほぼ箱状のユニット構造になっており、その上方奥部には、図２に示すように、前記遊技媒体貸出機６の背面部側に張り出した紙幣受け部１１が設けられている。
【００２０】
上記紙幣収納装置１０は、固定フレームとしてのユニットケース基板１２と、ユニットケース基板１２の下部に取り付けられる電源部１３と、ユニットケース基板１２の上部に着脱可能に取り付けられる紙幣収納ユニット２０と、から構成されている。
上記紙幣受け部１１は、内部に紙幣検出部（図示せず）を備えており、遊技媒体貸出機６の背面の排出口８から紙幣Ｍが排出されたとき（図９参照）、この紙幣Ｍが挿入されることにより、この紙幣Ｍを機械的，光学的等の適宜な方法により検出し、検出信号を後述する制御部に対して送出するようになっている。
【００２１】
上記ユニットケース基板１２は、図２に示すように、例えば金属平板を打ち抜いて折曲げ加工により形成されており、高さが空間部Ａ（図９参照）の高さより僅かに小さく、上部の奥行きが遊技媒体貸出機６の奥行きにほぼ等しく、下部の奥行きが上部の奥行きよりやや小さく形成されていると共に、幅が空間部Ａの内側幅から遊技媒体貸出機６の幅を引いたものより僅かに小さく選定されている。
さらに、上記ユニットケース基板１２は、その下端，後端及び上端からそれぞれ横方向に延びる底板１４，奥板１５及び上板１６を備えており、これにより前面及び右側面が開放した箱状に形成されている。
【００２２】
ここで、上記底板１４には、空間部Ａの下枠板３にネジ止めするための孔１４ａが設けられ、また底板１４の右端縁には、垂直方向に折曲げられた縁板１４ｂが設けられている。
また、上記奥板１５は、ユニットケース基板１２の後端の形状に従って、二段階の奥行きを有するように、段状に形成されており、その上部の右側には、上記紙幣受け部１１が取り付けられている。
さらに、上記上板１６の右端縁には、垂直方向に折曲げられた縁板１６ａが設けられている。
【００２３】
上記電源部１３は、図２に示すように、例えば金属平板により箱状に形成されており、高さが上記ユニットケース基板１２の下部の高さよりやや高く、奥行きがユニットケース基板１２の下部の奥行きよりやや小さく、幅がユニットケース基板１２により画成される収容部の内側幅より僅かに小さく形成されている。
そして、上記電源部１３は、上記ユニットケース基板１２の下部に画成される収容部内に前側から挿入され、図３に示すように、その背面に設けられた係合孔１３ａが、ユニットケース基板１２の奥板１５に設けられた係合爪１５ａと係合することにより、固定保持されるように構成されている（図２も参照）。
さらに、電源部１３は、外部から、ユニットケース基板１２の奥板１５の下部から供給される一般商用電源等の電源により、内部で必要な直流電圧を供給するスイッチング電源（図示せず）が内蔵されており、後述する紙幣収納ユニット２０内の制御部に対してこの直流電圧を供給するようになっている。
ここで、電源部１３は、ユニットケース基板１２の下部の収容部内にに挿入されることにより、ユニットケース基板１２内にて、その上方に、紙幣収納ユニット２０のための収納部を画成する。その際、電源部１３は、上面の右側縁から上方に延びる縁板１３ｂを備えており、この縁板１３ｂが、紙幣収納ユニット２０に対するガイドレールとして機能するようになっている。
【００２４】
上記紙幣収納ユニット２０は、下部の制御部２１と、上部の積重ね保持装置３０と、紙幣搬送装置４０と、から構成されており、これらの制御部２１，積重ね保持装置３０及び紙幣搬送装置４０は、取付フレーム２０ａに取り付けられることにより、互いに一体に、全体として縦長細型の直方体状に形成されており、その高さが上記ユニットケース基板１２の上板１６及び電源部１３の上面により画成される収容部の高さより僅かに小さく、奥行きが、ユニットケース基板１２の上部の奥行きよりやや小さく、幅がユニットケース基板１２により画成される収容部の内側幅より僅かに小さく形成されている。
そして、紙幣収納ユニット２０は、上記ユニットケース基板１２の上部に画成される収容部内に、前側から挿入され、図３に示すように、ユニットケース基板１２の奥板１５の上下に設けた係合孔２２が、ユニットケース基板１２の奥板１５の後方に設けられたリンク１５ｄの上下に設けた係合フック１５ｂと解放可能に係合することにより、着脱可能に固定保持されるようになっている。
【００２５】
上記制御部２１は、図４及び図５に示すように、紙幣Ｍの搬送及び積重ね保持の動作を制御するための制御回路基板２３を備えていると共に、前面に露出した引出し用鍵２４，レバー２５を備えている。
この引出し用鍵２４は、前面から操作することにより、引出し用鍵２４が前後方向に延びる回転軸の周りに回動して、引出し用鍵２４の内側に設けられた操作片２４ａが、レバー２５の一端２５ａを押し上げる。これにより、レバー２５は、中央より偏位して設けられた回転軸２５ｂの周りに揺動するので、レバー２５の他端２５ｃは、下方に移動する。
ここで、上記レバー２５の他端２５ｃは、図３に示すように、ユニットケース基板１２の奥板１５の背面にて、前記係合フック１５ｂと連結された係合部１５ｃと係合しており、レバー２５の他端２５ｃが下方に移動することにより、係合フック１５ｂも下方に移動して、紙幣収納ユニット２０の背面に設けられた係合孔２２から外れるようになっている。
尚、上記係合フック１５ｂ及び係合部１５ｃは、回転軸２５ｂの周りにレバー２５が復帰するように取り付けられたバネ２５ｄによって上方に向かって付勢されている。
【００２６】
上記積重ね保持装置３０は、紙幣収納ユニット２０の上部の前側に配設されており、紙幣搬送装置４０から送り出された紙幣Ｍを積重ねた押圧状態で保持するためのものである。
そして、上記積重ね保持装置３０は、図６に示すように、紙幣取出し口３１ａを備えた前面パネル３１と、前面パネル３１の後方にてほぼ垂直に配置された紙幣受け皿３２と、前面パネル３１を開放可能に閉鎖するカバー３３と、から構成されている。
【００２７】
上記紙幣受け皿３２は、図示しない付勢手段により、右方に向かって付勢されていると共に、前後方向に延びるスロット３２ａ内に固定軸３２ｂが係合することにより、前後方向に移動可能に支持されている。
【００２８】
上記カバー３３は、下端が紙幣収納ユニット２０の前面に回転可能に支持されており、図４及び図５に示すように前面パネル３１を閉じた閉鎖状態から、図６及び図７に示すように前面パネル３１を開放する開放状態まで、揺動するようになっている。
さらに、カバー３３は、その内面に設けられた突片３３ａが、リンク３４を介して、上記紙幣受け皿３２に連結されている。
ここで、上記リンク３４は、一端が突片３３ａに対して揺動可能に支持されていると共に、他端に設けられた長手方向のスロット３４ａに対して、紙幣受け皿３２に設けられた揺動軸３２ｃが係合している。
これにより、カバー３３が閉鎖位置から開放位置まで揺動されると、このカバー３３の揺動に連動して、紙幣受け皿３２が僅かに前側に引き出されるようになっている。
尚、カバー３３は、鍵３３ｂを備えており、この鍵３３ｂによりカバー３３が閉鎖状態に保持されるようになっている。
【００２９】
上記紙幣搬送装置４０は、図２乃至図８に示すように、紙幣収納ユニット２０の上部の後側に配設されており、遊技媒体貸出機６の背面の排出口８から起立状態で排出される紙幣Ｍを前記紙幣受け部１１を介して受け入れ、起立状態のまま半円形状にＵターンさせ、遊技媒体貸出機６の左側の空間部Ａの前面側に直線方向に送り出すように構成されている（図９も参照）。
この紙幣搬送装置４０は、図８に示すように、紙幣Ｍの搬送通路４１を画成する円弧状部分及び直線状部分から成る通路形成体４２と、通路形成体４２の円弧状部分内に配設された駆動プーリ４３と、駆動プーリ４３を回転駆動させるための駆動軸４４と、上記通路形成体４２の直線状部分の端縁に隣接して配設された従動プーリ４５と、駆動プーリ４３及び従動プーリ４５との間に巻回された搬送ベルト４６と、上記通路形成体４２の円弧状部分の両端にて、搬送ベルト４６の上から駆動プーリ４３に圧接する圧接ローラ４７，４８とから構成されている。
【００３０】
上記通路形成体４２は、例えばプラスチックから構成されており、表面が平滑に仕上げられている。
上記駆動軸４４は、紙幣搬送装置４０の下方に取り付けられた駆動モータ４９（図４参照）により図示しない伝導装置を介して回転駆動されるようになっている。
上記圧接ローラ４７，４８は、図示しない付勢手段により、駆動プーリ４３の表面に対して所定圧力で接触するようになっている。
尚、上記駆動プーリ４３，搬送ベルト４６，圧接ローラ４７，４８は、図示の場合、垂直方向に関して二段に設けられており、紙幣Ｍの安定した搬送を行なうことができるようになっている。
【００３１】
本発明実施形態による遊技島１の紙幣収納装置１０は、以上のように構成されており、以下に示すように動作する。
先づ、紙幣収納装置１０は、図１に示すように、遊技媒体貸出機６と組合せされた状態で、遊技島１を構成する各遊技機４の隣接する遊技機４の間に設置される。これにより、本紙幣収納装置１０は、互いに隣接する遊技機４の間の空間部Ａ内に設置されることになる。
そして図１にて、遊技媒体貸出機６の紙幣投入口７に紙幣Ｍが投入されると、遊技媒体貸出機６は、投入された紙幣Ｍを判定して、真正紙幣の場合には遊技媒体、例えばスロットマシン用メダルを貸し出す（まはた貸し出し指令を発する）と共に、紙幣Ｍを起立状態のまま背面の排出口８から背面側に排出する。
【００３２】
これにより、紙幣Ｍは、紙幣収納装置１０の紙幣受け部１１内に挿入され、図示しない紙幣検出部がこれを検出して、検出信号を制御部２１に送出する。
これを受けて、制御部２１は、紙幣搬送装置４０を動作させ、駆動モータ４９により駆動プーリ４３を回転駆動する。
従って、紙幣Ｍは、その先端が紙幣搬送装置４０の圧接ローラ４７と搬送ベルト４６の間に進入すると、搬送ベルト４６の摩擦力により、搬送ベルト４６の移動に伴って搬送通路４１に沿って搬送され、積重ね保持装置３０に送出される。
そして、積重ね保持装置３０に送出された紙幣は、紙幣受け皿３２上に順次に積層されると共に、押圧状態で保持されることになる。
このようにして、遊技媒体貸出機６に投入された紙幣Ｍは、その背面の排出口８から排出されると、紙幣収納装置１０の紙幣受け部１１から紙幣搬送装置４０により搬送され、積重ね保持装置３０内に押圧した状態で保持されることになる。
【００３３】
ここで、例えば一日の営業終了後に、紙幣収納装置１０内に保持された紙幣Ｍを回収する場合には、係員が紙幣収納装置１０の積重ね保持装置３０のカバー３３のカギ３３ｂを解放して、カバー３３を開ける。このとき、カバー３３の開放動作に連動して、リンク３４により紙幣受け皿３２が僅かに前方に向かって引き出される。
これにより、紙幣受け皿３２に保持された紙幣Ｍの先端が、僅かに前面パネル３１の紙幣取り出し口３１ａから前方に突出することになる。従って、係員は、前面パネル３１の紙幣取出し口３１ａから突出した紙幣Ｍの端部を把持して引き出すことにより、容易に紙幣Ｍの回収を行なうことができる。
その後、カバー３３を閉じると、紙幣受け皿３２は、リンク３４により元の位置まで戻され、係員が鍵３４をかけることにより、カバー３２が閉鎖状態に保持される。
【００３４】
ここで、例えば紙幣搬送装置４０等にて紙幣詰まり等のトラブルが発生した場合には、係員は、紙幣収納ユニット２０の引出し用鍵２４をあける。これにより、引出し用鍵２４の操作片２４ａが、レバー２５の一端２５ａを押し上げるので、レバー２５の他端２５ｃが下方に移動し、係合部１５ｃ及び係合フック１５ｂも下方に移動する。
従って、係合フック１５ｂが紙幣収納ユニット２０の背面に設けられた係合孔２２から外れるので、紙幣収納ユニット２０全体を前方に向かって引き出すことができる。これにより、紙幣収納ユニット２０の紙幣搬送装置４０等の点検することにより、容易に紙幣詰まり等のトラブルを解消することができる。
【００３５】
このようにして、本発明実施形態による遊技島１の紙幣収納装置１０によれば、紙幣詰まり等のトラブル発生時には、紙幣収納ユニット２０のみを取り外すことにより、容易に紙幣詰まり等のトラブルを解消することができる。その際、遊技機の背面側にて紙幣搬送装置等を点検する必要がないことから、例えば遊技機を開放することができないスロットマシン等のボックス構造の遊技機４であっても、容易に紙幣搬送装置の点検をすることができる。
さらに、紙幣搬送装置４０が遊技媒体貸出機６毎に設けられているので、一台の遊技媒体貸出機６に関連する紙幣収納装置１０にて紙幣詰まり等のトラブルが発生した場合であっても、当該遊技媒体貸出機６が属する遊技島１全体の遊技媒体貸出機６が使用不能になるようなことはなく、他の遊技媒体貸出機６は使用可能である。
【００３６】
上述した実施形態においては、遊技島１の紙幣収納装置１０は、遊技機４に隣接して遊技媒体貸出装置６と共に設置されるようになっているが、これに限らず、他の種類の遊技機に対して遊技媒体の貸出を行なう場合にも本発明を適用し得ることは明らかである。
尚、遊技機としてパチンコ遊技台等を使用する場合には、遊技媒体貸出装置は、遊技機に対して遊技媒体として例えば貸玉を行なうことになる。
【００３７】
【発明の効果】
以上述べたように、本発明によれば、上記遊技媒体貸出機の背面部及び遊技媒体貸出機と一方の遊技機との間に設けられた空間部を利用して、遊技媒体貸出機の背面から起立状態で排出される紙幣を、搬送装置により上記空間部の前面方向に起立状態のままＵターンさせて、この空間部内で積重ね保持装置により紙幣を積重ねて押圧した状態で保持することによって、全体の遊技媒体貸出機からの紙幣を一括して搬送蓄積する代わりに、個々の遊技媒体貸出機毎に設けられた空間部内に搬送して蓄積するようにしている。
【００３８】
これにより、従来のような遊技島全体の紙幣を搬送する大がかりな紙幣搬送システムを省略することができるので、コストを低減することができると共に、スロットマシン等のような前方に開放することができないボックス構造の遊技機を設置した遊技島であっても、全体の紙幣を搬送するシステムを用いないため、遊技機の背面側を点検する必要がないので何らの支障も生じない。
また、遊技島の個々の遊技媒体貸出機毎に紙幣を収納するので、従来のような遊技島全体の遊技媒体貸出機が使用できなくなるようなこともない。
【００３９】
さらに、搬送装置及び積重ね保持装置が取付フレームに対して一体的に取り付けられると共に、この取付フレームが固定フレームに対して前面方向に着脱可能に支持されているので、搬送装置内での紙幣詰まり等のトラブル発生時には、取付フレームを前面側に取外すことにより、容易に搬送装置の点検を行なうことができ、当該遊技媒体貸出機の使用不能が短時間で解消することになる。
【００４０】
かくして、本発明によれば、遊技島全体の紙幣を搬送する紙幣搬送装置を省略するようにした極めて優れた遊技島の紙幣収納装置が提供され得ることになる。
【図面の簡単な説明】
【図１】本発明による遊技島の紙幣収納装置の一実施形態の遊技媒体貸出機と組み合わせた状態を示す概略斜視図である。
【図２】図１の紙幣収納装置の分解斜視図である。
【図３】図１の紙幣収納装置の縦断面図である。
【図４】図１の紙幣収納装置における紙幣収納ユニットの斜視図である。
【図５】図４の紙幣収納ユニットの断面図である。
【図６】図４の紙幣収納ユニットのカバー開放状態の要部を示す斜視図である。
【図７】図４の紙幣収納ユニットのカバー開放状態の要部を示す断面図である。
【図８】図１の紙幣収納装置における紙幣搬送装置を示す拡大横断面図である。
【図９】従来の遊技島の構成を示す概略横断面図である。
【図１０】図９の遊技島の構成を示す概略正面図である。
【符号の説明】
１０      遊技島の紙幣収納装置
１１      紙幣受け部
１２      ユニットケース基板
１３      電源部
１４      底板
１５      奥板
１５ａ    係合爪
１５ｂ    係合フック
１５ｃ    係合部
１５ｄ    リンク
１６      上板
２０      紙幣収納ユニット
２１      制御部
２２      係合孔
２３      制御回路基板
２４      引出し用鍵
２５      レバー
３０      積重ね保持装置
３１      前面パネル
３１ａ    紙幣取出し口
３２      紙幣受け皿
３３      カバー
３４      リンク
４０      紙幣搬送装置
４１      搬送通路
４２      通路形成体
４３      駆動プーリ
４４      駆動軸
４５      従動プーリ
４６      搬送ベルト
４７      圧接ローラ
４８      圧接ローラ
４９      駆動モータ
【図１】
0004580527.tif 000002
【図２】
0004580527.tif 000003
【図３】
0004580527.tif 000004
【図４】
0004580527.tif 000005
【図５】
0004580527.tif 000006
【図６】
0004580527.tif 000007
【図７】
0004580527.tif 000008
【図８】
0004580527.tif 000009
【図９】
0004580527.tif 000010
【図１０】
0004580527.tif 000011